(57)【要約】【課題】発電装置で使われている排気用設備機器に磁性体異物除去機能を持たせることで、新たに設置スペースを設けることなく錆などの磁性異物の捕捉を可能とする【解決手段】排気を外部へ導出する発電機駆動用機関の排気導出路５に設けられた排気用設備機器としての排気消音器７の排気通路８に排気処理用磁性体９を配置し、排気処理用磁性体９を励磁状態または非励磁状態に選択的に制御することにより、前記励磁状態で排気中の磁性成分を吸着し捕捉する。【選択図】図２
2014223565.tif 000002
【特許請求の範囲】
【請求項１】
排気を外部へ導出する発電機駆動用機関と、前記発電機駆動用機関の排気導出路に設けられた排気用設備機器とを備え、前記排気用設備機器の排気通路に配置され励磁状態または非励磁状態に選択的に制御されて排気中の磁性異物を前記励磁状態で吸着する排気処理用磁性体を設けたことを特徴とする排気処理機能付発電装置。
【請求項２】
前記排気用設備機器としての排気消音器における排気通路に前記排気処理用磁性体を設けたことを特徴とする請求項１に記載の排気処理機能付発電装置。
【請求項３】
前記排気処理用磁性体を前記排気消音器における前記排気通路の周面に配設される磁性材からなる金網で構成したことを特徴とする請求項２に記載の排気処理機能付発電装置。
【請求項４】
前記排気消音器における前記排気通路を構成する磁性体を励磁することにより前記排気処理用磁性体が構成されることを特徴とする請求項２に記載の排気処理機能付発電装置。
【請求項５】
前記発電機駆動用機関により駆動される発電機の出力の有無に応じて前記排気処理用磁性体を励磁状態としまたは非励磁状態とすることを特徴とする請求項１から請求項４までの何れかに記載の排気処理機能付発電装置。
【請求項６】
前記排気処理用磁性体に励磁入力を供給し前記排気処理用磁性体を励磁する手動スイッチを設けたことを特徴とする請求項１から請求項５までの何れかに記載の排気処理機能付発電装置。
【発明の詳細な説明】
【技術分野】
【０００１】
この発明は、排気処理機能付発電装置、特に、自家用発電装置における発電機駆動用内燃機関の排気中に含まれる錆などの磁性異物を吸着捕捉する機能を有し、自家用発電装置内に結露、水滴等により錆が発生した際に排気ガスに混じって錆が外部へ放出され、周辺機器にごみとして混入し機器に損傷を与えることや、高温錆が周囲の人に火傷を発生させる等の危険性を防ぐために用いられる排気処理装置が設けられた発電装置に関するものである。
【背景技術】
【０００２】
従来の磁性異物除去装置は磁性異物を含む処理対象物が導入される導入口と磁性異物を除去する磁性異物除去室と除去室を通過した排出口および台座で構成されている（例えば特許文献１参照）。また、自家用発電設備として用いられる発電機駆動機関には排気導出路が備えられ、その排気導出路に排気用設備機器として排気消音器などが設けられている（特許文献２参照）。
【先行技術文献】
【特許文献】
【０００３】
【特許文献１】特開２００５−１６９２７５号公報
【特許文献２】特開平７−３１０５５８号公報
【発明の概要】
【発明が解決しようとする課題】
【０００４】
従来の磁性異物除去装置を自家用発電設備に適用した場合、発電装置において錆が発生しやすい箇所である排気側での装置の設置となるが、新たに磁性異物除去装置を設置するスペースが確保できないという問題点があった。
【０００５】
この発明は、上記のような課題を解決するためになされたものであり、発電装置で使われている排気用設備機器に磁性異物除去機能を持たせることで、新たに設置スペースを設けることなく錆などの磁性異物の捕捉を可能とすることを目的とする。
【課題を解決するための手段】
【０００６】
この発明に係る排気処理機能付発電装置は、排気を外部へ導出する発電機駆動用機関と、前記発電機駆動用機関の排気導出路に設けられた排気用設備機器とを備え、前記排気用設備機器の排気通路に配置され励磁状態または非励磁状態に選択的に制御されて排気中の磁性異物を前記励磁状態で吸着する排気処理用磁性体を設けたことを特徴とするものである。
【発明の効果】
【０００７】
この発明によれば、発電装置の排気用設備機器に排気中の磁性異物を吸着する磁性異物除去機能を付加したので、従来のように磁性異物除去装置を別置することなく錆などの磁性異物の回収が可能となる。
【図面の簡単な説明】
【０００８】
【図１】この発明における実施の形態１に係る発電装置の全体構成を示す側面図である。
【図２】この発明における実施の形態１に係る排気消音器の構成を示す側面図である。
【図３】この発明における実施の形態１に係る排気処理用磁性体用励磁回路の構成を示す接続図である。
【図４】この発明における実施の形態１に係る排気処理用磁性体の励磁動作状態を示すタイムチャートである。
【図５】この発明における実施の形態２に係る排気消音器の構成を示す側面図である。
【発明を実施するための形態】
【０００９】
実施の形態１．
この発明における実施の形態１を図１から図４までについて説明する。図１はこの発明における実施の形態１に係る発電装置の全体構成を示す側面図である。図２はこの発明における実施の形態１に係る排気消音器の構成を示す側面図である。図３はこの発明における実施の形態１に係る排気処理用磁性体励磁回路の構成を示す接続図である。図４はこの発明における実施の形態１に係る排気処理用磁性体の励磁動作状態を示すタイムチャートである。
【００１０】
図１において、発電装置１は発電装置本体２を備え、発電装置本体２は発電機３とこの発電機３に連結され発電機３を駆動する内燃機関４とにより構成される。内燃機関４には排気導出路５が設けられ、内燃機関４の排気は排気導出路５の突出端に設けられた排気口６から発電装置１の外部へ放出される。排気導出路５の中間部分には排気消音器７が配設されている。
【００１１】
排気消音器７は内燃機関４の排気を騒音を伴うことなく外部へ放出しようとするものであって、その構成は図２に示されている。
図２において、排気消音器７には排気流Ｆを流通する排気消音機能を持つ断面矩形をなすスリット状の排気通路８が設けられ、排気通路８の排気出口側には、その側面および上下面にわたる全周に所定の軸方向幅を有する磁性材からなる金網で構成される排気処理用磁性体９が設けられている。この磁性金網で構成される排気処理用磁性体９は排気通路８の側面および上下面に沿って配設され径方向内部に処理対象の排気を流通する筒状磁性体を形成するものであって、所定巻数を有する電磁コイル１０によって励磁される。電磁コイル１０の付勢によって排気処理用磁性体９が励磁されると、排気流Ｆに含まれる排気中の錆などの磁性異物は排気処理用磁性体９に吸着され、捕捉される。
【００１２】
電磁コイル１０の付勢は、図３に示す排気処理用磁性体励磁回路１１によって行われる。この排気処理用磁性体励磁回路１１は商用電源からの電力を直流変換して給電され充電される充電可能な励磁用直流電源１２により、互いに並列接続された応動スイッチＳ１と手動スイッチＳ２を介して電磁コイル１０を付勢するものである。応動スイッチＳ１は発電機３を駆動する内燃機関４が動作し発電機３が出力を発生して発電装置本体２が運転状態にあるとき制御回路１３によって閉合状態とされ、電磁コイル１０を付勢状態とする。
手動スイッチＳ２は発電機３が出力無しの状態にあり発電装置本体２が休止状態にあるときなどの任意のタイミングで閉合状態とし電磁コイル１０を付勢状態とすることができるものである。この手動スイッチＳ２によって電磁コイル１０を付勢し排気処理用磁性体９を励磁する手段は発電機３の出力が無い状態で内燃機関４が動作するような発電装置本体２の試運転時や保守点検時などに有用である。
【００１３】
なお、応動スイッチＳ１と手動スイッチＳ２とを別回路とし、発電機３の出力自体を変換して電磁コイル１０に給電し付勢するとともに、発電機３の出力が無い状態で商用電源からの電力を直流変換して給電される励磁用直流電源１２から手動スイッチＳ２を介して電磁コイル１０に給電し付勢することもできる。
【００１４】
そして、発電装置２が休止状態にあって応動スイッチＳ１および手動スイッチＳ２がともに開放状態にあり、電磁コイル１０が消勢されて排気処理用磁性体９が非励磁状態となるときには、排気処理用磁性体９に吸着され捕捉されていた磁性異物は重力により自然落下する。
筒状の排気処理用磁性体９の下方端面に対向して排気消音器７の底面には磁性異物回収口１４が設けられ、排気消音器７の底面外側には磁性異物回収用蓋体１５が着脱自在に固着されている。磁性異物回収用蓋体１５は排気消音器７の底面外側にボルトなどの取付具１６によって着脱可能に取り付けられているものである。排気処理用磁性体９から自然落下した磁性異物は磁性異物回収蓋体１５の上面に集積され、手動操作により取付具１６を緩め磁性異物回収用蓋体１５を排気消音器７から取り外すことによって磁性異物が回収される。
【００１５】
排気処理動作のタイムチャートは図４に示されている。
図４（ａ）（ｃ）に示す通り、発電装置本体２が運転状態であり発電機３の出力が有る期間Ａにおいて排気処理用磁性体９による磁性異物の吸着捕捉が可能である。
図４（ｂ）（ｃ）に示す通り、発電機３の出力が無く内燃機関４が動作状態にあって、手動スイッチＳ２が投入状態とされている期間Ｂにおいて排気処理用磁性体９による磁性異物の吸着捕捉が可能である。
図４（ｄ）に示す通り、発電装置本体２が休止状態にあり発電機３の出力が無くて応動スイッチＳ１が開放し、かつ、手動スイッチＳ２が投入状態でない期間Ｃにおいて、排気流Ｆが生じていない状態で磁性異物回収口１４から磁性異物の回収が可能である。
【００１６】
この発明における実施の形態１においては、排気を排気導出路５に形成される排気流Ｆによって発電装置１の外部へ導出する内燃機関４からなる発電機駆動用機関と、前記内燃機関４からなる発電機駆動用機関の排気導出路５に設けられた排気消音器７からなる排気用設備機器とを備え、前記排気消音器７からなる排気用設備機器の排気通路８に配置され励磁状態または非励磁状態に選択的に制御されて排気流Ｆに含まれる排気中の磁性異物を前記励磁状態で吸着する排気処理用磁性体９を設け、前記排気処理用磁性体９を前記排気消音器７における前記排気通路８の出口側周面に配設される磁性材からなる金網で構成して、発電装置１の排気消音器７からなる排気用設備機器に排気中の磁性異物を吸着する磁性異物除去機能を付加したので、従来のように磁性異物除去装置を別置することなく簡潔な構成で錆などの磁性異物の回収を確実に行うことができる。
【００１７】
また、この発明における実施の形態１においては、前記内燃機関４からなる発電機駆動用機関により駆動される発電機３の出力の有無に応じて前記排気処理用磁性体９を励磁状態としまたは非励磁状態とするとともに、前記排気処理用磁性体９に励磁入力を供給し排気処理用磁性体９を励磁する手動スイッチを設けたので、発電装置本体２が運転状態で発電機３の出力が有る場合の磁性異物除去作用を確保するととともに、発電装置本体２が休止状態で発電機３の出力が無い場合にも磁性異物除去作用を行うことができ、試運転時や保守点検時などに有用である。
【００１８】
実施の形態２．
この発明における実施の形態２を図５について説明する。図５はこの発明における実施の形態１に係る排気消音器の構成を示す側面図である。この実施の形態２において、ここで説明する特有の構成および作用以外の構成および作用は、先に説明した実施の形態１における構成および作用と同様である。図中、実施の形態１と同一符号は同一または相当部分を示す。
【００１９】
図５において、排気用設備機器としての排気消音器７におけるスリットを構成する排気通路８の一部として組み込まれた筒状の磁性体が排気処理用磁性体９として設けられ、電磁コイル１０によって励磁される。その他の構成および電磁コイル１０による排気処理用磁性体９の励磁態様などは実施の形態１と同様である。
【００２０】
この発明における実施の形態２においては、排気を排気導出路５に形成される排気流Ｆによって発電装置１の外部へ導出する内燃機関４からなる発電機駆動用機関と、前記内燃機関４からなる発電機駆動用機関の排気導出路５に設けられた排気消音器７からなる排気用設備機器とを備え、前記排気消音器７からなる排気用設備機器の排気通路８に配置され励磁状態または非励磁状態に選択的に制御されて排気流Ｆに含まれる排気中の磁性異物を前記励磁状態で吸着する排気処理用磁性体９を設け、前記排気消音器７における前記排気通路８を構成する磁性体を励磁することにより前記排気処理用磁性体９が構成されるようにして、発電装置１の排気消音器７からなる排気用設備機器に排気中の磁性異物を吸着する磁性異物除去機能を付加したので、従来のように磁性異物除去装置を別置することなく簡潔な構成で錆などの磁性異物の回収を確実に行うことができる。
【００２１】
以上で説明した実施の形態では、排気用設備機器としての排気消音器７に磁性異物を捕捉する磁性異物処理機能を付与する例について説明したが、排気ダクトや排気出口金網などに磁性異物を捕捉する磁性異物処理機能を持たせることもできる。
また、発電装置本体２に対する給気フアンと連動させて排気処理用磁性体９を励磁状態あるいは非励磁状態とする選択動作を発電機３の出力の有無と関連させ制御することもできる。
そして、排気処理用磁性体９を励磁状態あるいは非励磁状態に選択動作させる手動スイッチＳ２を遠隔操作するなどの応用が可能である。
【００２２】
なお、本発明は、その発明の範囲内において、各実施の形態の一部または全部を自由に組み合わせたり、各実施の形態を適宜、変形、省略することが可能である。
【符号の説明】
【００２３】
１  発電装置、２  発電装置本体、３  発電機、４  内燃機関、５  排気導出路、６  排気口、７  排気消音器（排気用設備機器）、８  排気通路、９  排気処理用磁性体、１０  電磁コイル、１１  磁性体励磁回路、１２  励磁用直流電源、Ｓ１  応動スイッチ、Ｓ２  手動スイッチ、１３  制御回路、１４  磁性異物回収口、１５  磁性異物回収蓋体、１６  取付具。
【図１】
2014223565.tif 000003
【図２】
2014223565.tif 000004
【図３】
2014223565.tif 000005
【図４】
2014223565.tif 000006
【図５】
2014223565.tif 000007